(57)【要約】【課題】プロジェクターの設置姿勢に適さない収納姿勢で光源装置が収納されるのを防止して冷却効率の低下を防止する。【解決手段】発光部を有する発光管と、発光管の中心軸を含む平面に対して非対称の形状を有し、発光部から射出される光を発光部へ向けて反射させる副反射鏡と、発光管の中心軸を含む平面に対して非対称の形状を有し、副反射鏡で反射された光と発光部から射出された光のうち副反射鏡に入射されない光とを反射させて被照明領域側に射出する主反射鏡とを有する光源装置３００を使用可能なプロジェクターであって、光源装置３００の収納姿勢が第１収納姿勢又は前記第１収納姿勢を重力方向に沿った上下方向において上下を逆転させた第２収納姿勢のいずれであるかを判定する姿勢判定部５２０と、姿勢判定部５２０によって判定された収納姿勢に基づいて、当該光源装置３００の点灯を制御する制御部５３０とを有する。【選択図】図５
2011017826.tif 000002
【特許請求の範囲】
【請求項１】
発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置を使用可能なプロジェクターであって、
前記光源装置の収納姿勢が第１収納姿勢又は前記第１収納姿勢を重力方向に沿った上下方向において上下を逆転させた第２収納姿勢のいずれであるかを判定する姿勢判定部と、
前記姿勢判定部によって判定された収納姿勢に基づいて、当該光源装置の点灯を制御する制御部と、
を有することを特徴とするプロジェクター。
【請求項２】
請求項１に記載のプロジェクターにおいて、
前記第１収納姿勢は、前記副反射鏡が前記発光管よりも前記上下方向における下側となるような姿勢であって、前記第２収納姿勢は、前記副反射鏡が前記発光管よりも前記上下方向における上側となるような姿勢であることを特徴とするプロジェクター。
【請求項３】
請求項２に記載のプロジェクターにおいて、
前記制御部は、前記光源装置の収納姿勢が前記姿勢判定部によって前記第１収納姿勢であると判定された場合には、前記光源装置を点灯させ、前記光源装置の収納姿勢が前記姿勢判定部によって前記第２収納姿勢であると判定された場合には、前記光源装置を非点灯とする制御を行うことを特徴とするプロジェクター。
【請求項４】
請求項１〜３のいずれかに記載のプロジェクターにおいて、
前記姿勢判定部は、前記プロジェクターに取り付けられた姿勢検出センサーから出力される信号に基づいて前記光源装置の収納姿勢を判定することを特徴とするプロジェクター。
【請求項５】
請求項１〜３のいずれかに記載のプロジェクターにおいて、
前記姿勢判定部は、前記光源装置に取り付けられた姿勢検出センサーから出力される信号に基づいて前記光源装置の収納姿勢を判定することを特徴とするプロジェクター。
【請求項６】
請求項１〜５のいずれかに記載のプロジェクターにおいて、
前記制御部によって制御され、前記光源装置が前記第２収納姿勢であることを報知する報知部を有することを特徴とするプロジェクター。
【請求項７】
発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する第１の光源装置又は前記第１の光源装置とは異なる種類の第２の光源装置のいずれかを選択的に使用可能なプロジェクターであって、
光源装置の種類が前記第１の光源装置又は前記第２の光源装置のいずれであるかを判定する光源装置種類判定部と、
前記光源装置種類判定部によって第１の光源装置であると判定された場合、当該第１の光源装置の収納姿勢が第１収納姿勢又は前記第１収納姿勢を重力方向に沿った上下方向において上下を逆転させた第２収納姿勢のいずれであるかを判定する姿勢判定部と、
前記光源装置種類判定部で判定された前記光源装置の種類と、前記姿勢判定部で判定された収納姿勢とに基づいて、前記光源装置の点灯を制御する制御部と、
を有することを特徴とするプロジェクター。
【請求項８】
請求項７に記載のプロジェクターにおいて、
前記第２の光源装置は、発光部を有する発光管と、前記発光管の中心軸を含む平面に対して対称形状を有し、前記発光部から射出された光を反射させて被照明領域側に射出するリフレクタを有する光源装置であることを特徴とするプロジェクター。
【請求項９】
請求項７又は８に記載のプロジェクターにおいて、
前記第１収納姿勢は、前記副反射鏡が前記発光管よりも前記上下方向における下側となるような姿勢であって、前記第２収納姿勢は、前記副反射鏡が前記発光管よりも前記上下方向における上側となるような姿勢であることを特徴とするプロジェクター。
【請求項１０】
請求項７〜９のいずれかに記載のプロジェクターにおいて、
前記光源装置が前記第１の光源装置であると判定され、かつ、前記光源装置が第１収納姿勢であると判定された場合には、前記制御部は、前記光源装置を点灯させる制御を行い、
前記光源装置が前記第１の光源装置であると判定され、かつ、前記光源装置が第２収納姿勢であると判定された場合には、前記制御部は、前記光源装置を非点灯とする制御を行い、
前記光源装置が前記第２の光源装置であると判定された場合は、前記制御部は、当該第２の光源装置を点灯させる制御を行うことを特徴とするプロジェクター。
【請求項１１】
発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置を使用可能なプロジェクターの光源装置収納姿勢監視方法であって、
前記光源装置の収納姿勢が第１収納姿勢又は前記第１収納姿勢を重力方向に沿った上下方向において上下を逆転させた第２収納姿勢のいずれであるかを判定する姿勢判定ステップと、
前記姿勢判定ステップで判定された収納姿勢に基づいて、前記光源装置の点灯を制御する点灯制御ステップと、
を有することを特徴とするプロジェクターの光源装置収納姿勢監視方法。
【請求項１２】
発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する第１の光源装置又は前記第１の光源装置とは異なる種類の第２の光源装置のいずれかを選択的に使用可能なプロジェクターの光源装置収納姿勢監視方法であって、
光源装置の種類が前記第１の光源装置又は前記第２の光源装置のいずれであるかを判定する光源装置種類判定ステップと、
前記光源装置種類判定ステップによって第１の光源装置であると判定された場合、当該第１の光源装置の収納姿勢が第１収納姿勢又は前記第１収納姿勢を重力方向に沿った上下方向において上下を逆転させた第２収納姿勢のいずれであるかを判定する姿勢判定ステップと、
前記光源装置種類判定ステップで判定された前記光源装置の種類と、前記姿勢判定ステップで判定された収納姿勢とに基づいて、前記光源装置の点灯を制御する点灯制御ステップと、
を有することを特徴とするプロジェクターの光源装置収納姿勢監視方法。
【発明の詳細な説明】
【技術分野】
【０００１】
本発明は、プロジェクター及びプロジェクターの光源装置収納姿勢監視方法に関する。
【背景技術】
【０００２】
プロジェクターは、テーブルなどに据え置いた状態で使用するだけではなく、天井などに吊るした状態での使用を可能とするものも多い（例えば、特許文献１参照）。なお、テーブルなどに据え置いた状態で使用する場合のプロジェクターの設置姿勢を据置姿勢と呼び、天井などに吊るした状態で使用する場合のプロジェクターの設置姿勢を天吊姿勢と呼ぶことにする。
【０００３】
また、プロジェクターに用いられる光源装置として、発光管から射出した光の利用効率を高めるようにした光源装置がある（例えば、特許文献２参照）。
【０００４】
図１２は、発光管から射出した光の利用効率を高めるようにした光源装置の構成を概略的に示す図である。特許文献２に開示されている光源装置は、図１２に示すように、発光部１を有する発光管２と、発光管２の中心軸１ｘを含む平面を境にして一方側（図１２における中心軸１ｘの上側半分）のみを覆うように配置され、発光部１から射出される光Ｌ１を被照明領域側に反射する主反射鏡（リフレクタという）３と、発光管２における他方側（図１２における中心軸１ｘの下側半分）のみを覆うように配置され、発光管２の発光部１から射出される光Ｌ２を発光部１へ向けて反射する副反射鏡（副鏡という）４とを備える。
【０００５】
特許文献２に開示されている光源装置によれば、発光部１から射出される光の一部は副鏡４で反射されたのち、発光部１を通過して、リフレクタ３の反射面に反射されて被照明領域側に射出されるため、発光部１から射出される光を効率よく被照明領域側に進行させることができる。また、このような構成の光源装置によれば、光源装置の厚みを薄くすることができ、それによってプロジェクターの厚みも薄くすることができる。
【先行技術文献】
【特許文献】
【０００６】
【特許文献１】特開２００８−２８６８７３号公報
【特許文献２】特開２００１−１０９０６８号公報
【発明の概要】
【発明が解決しようとする課題】
【０００７】
一般に、プロジェクターに用いられる光源装置は、供給された電気エネルギーの多くが熱に変換されて高温となることから、ファンなどによる冷却が必要となる。特許文献２に開示されている光源装置（図１２参照）の場合、副鏡４で覆われる部分に冷却風が届きにくいため、冷却効率が悪く、より高温となる傾向にある。
【０００８】
特に、据置姿勢だけでなく天吊姿勢での使用を可能とするプロジェクターにおいて、プロジェクターを据置姿勢とした場合と天吊姿勢とした場合とで、光源装置の姿勢も重力方向に沿った上下方向において上下が逆転するため、特許文献２に開示されている光源装置を用いた場合には、発光管２と副鏡４の位置関係も上下方向において上下が逆転する。
【０００９】
すなわち、プロジェクターを天吊姿勢で使用する際は、据置姿勢のプロジェクターを上下を逆転させた状態で設置するため、光源装置も上下が逆転した状態となり、発光管２と副鏡４との位置関係も上下が逆転する。このため、プロジェクターを据置姿勢とした場合の光源装置の姿勢（図１２参照）は、プロジェクターを天吊姿勢とした場合には上下が逆転し、副鏡４が発光管２の上側に位置し、発光管２の上側が副鏡４に覆われる状態となる。
【００１０】
発光管の上側が副鏡に覆われる状態となると、発光管と副鏡との間に熱が蓄積され易くなり、冷却が不十分となる。発光管に冷却の不十分な部分が生じると、発光管を構成する透明部材が熱によって結晶化し、白濁する場合があり、これは、発光管の寿命の低下やプロジェクターから投写される画像の輝度の低下を招くことにもなる。
【００１１】
このように、想定した姿勢とは異なった姿勢でプロジェクターが使用されると光源装置も適正な姿勢とは異なった姿勢となってしまい、上記した不具合が生じる。
【００１２】
そこで本発明は、プロジェクターの設置姿勢に適さない収納姿勢で光源装置が収納されるのを未然に防止し、それによって、冷却効率の低下を防止することができるプロジェクター及びプロジェクターの光源装置収納姿勢監視方法を提供することを目的とする。
【課題を解決するための手段】
【００１３】
本発明のプロジェクターは、発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置を使用可能なプロジェクターであって、前記光源装置の収納姿勢が第１収納姿勢又は前記第１収納姿勢を重力方向に沿った上下方向において上下を逆転させた第２収納姿勢のいずれであるかを判定する姿勢判定部と、前記姿勢判定部によって判定された収納姿勢に基づいて、当該光源装置の点灯を制御する制御部とを有することを特徴とする。
【００１４】
本発明のプロジェクターによれば、光源装置の収納姿勢に基づいて、光源装置の点灯を制御するようにしているので、光源装置がプロジェクターの設置姿勢に適した収納姿勢で収納された場合のみに、光源装置を点灯させることができる。これにより、プロジェクターの設置姿勢に適さない収納姿勢で光源装置が収納されるのを未然に防止し、それによって、冷却効率の低下を防止することができる。
【００１５】
なお、この明細書において、「上下方向」とは、重力方向に沿った上下の方向を指しており、重力方向を「下方向」、反重力方向を「上方向」として説明する。なお、「下方向」を「下側」又は「下」と表記する場合もあり、「上方向」を「上側」又は「上」と表記する場合もある。またこの明細書において用いられる「上方向」、「上側」、「上」、「下方向」、「下側」、「下」などは重力方向及び反重力方向に厳密に一致するというものではなく、ある程度の傾きは許容されるものである。
【００１６】
本発明のプロジェクターにおいては、前記第１収納姿勢は、前記副反射鏡が前記発光管よりも前記上下方向における下側となるような姿勢であって、前記第２収納姿勢は、前記副反射鏡が前記発光管よりも前記上下方向における上側となるような姿勢であることが好ましい。
【００１７】
光源装置の姿勢の判定において、このように第１収納姿勢と第２収納姿勢とを規定することにより、光源装置の収納姿勢に応じた適切な点灯制御を行うことができ、それによって、光源装置が適正な収納姿勢で収納されているか否かを知ることができる。
【００１８】
本発明のプロジェクターにおいては、前記制御部は、前記光源装置の収納姿勢が前記姿勢判定部によって前記第１収納姿勢であると判定された場合には、前記光源装置を点灯させ、前記光源装置の収納姿勢が前記姿勢判定部によって前記第２収納姿勢であると判定された場合には、前記光源装置を非点灯とする制御を行うことが好ましい。
【００１９】
このような光源装置点灯制御を行うことにより、光源装置がプロジェクターに対して適正な姿勢で収納されている場合のみに当該光源装置を点灯させることができる。すなわち、光源装置が第１収納姿勢で収納されていれば、副鏡が発光管よりも下側となるため、光源装置を点灯させても、冷却効率を高めることができる。
【００２０】
本発明のプロジェクターにおいては、前記姿勢判定部は、前記プロジェクターに取り付けられた姿勢検出センサーから出力される信号に基づいて前記光源装置の収納姿勢を判定することが好ましい。
【００２１】
このような構成によれば、プロジェクター本体の設置姿勢を判定することができ、光源装置の収納姿勢が適正であるか否かを的確に判定することができる。
【００２２】
本発明のプロジェクターにおいては、前記姿勢判定部は、前記光源装置に取り付けられた姿勢検出センサーから出力される信号に基づいて前記光源装置の収納姿勢を判定することが好ましい。
【００２３】
このような構成によれば、光源装置そのものの収納姿勢を判定することができ、光源装置の収納姿勢が適正であるか否かを的確に判定することができる。
【００２４】
本発明のプロジェクターにおいては、前記制御部によって制御され、前記光源装置が前記第２収納姿勢であることを報知する報知部を有することが好ましい。
【００２５】
このような報知部を有することによって、光源装置が不適正な姿勢で収納されていることをユーザーに積極的に知らせることができる。
【００２６】
本発明のプロジェクターは、発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する第１の光源装置又は前記第１の光源装置とは異なる種類の第２の光源装置のいずれかを選択的に使用可能なプロジェクターであって、光源装置の種類が前記第１の光源装置又は前記第２の光源装置のいずれであるかを判定する光源装置種類判定部と、前記光源装置種類判定部によって第１の光源装置であると判定された場合、当該第１の光源装置の収納姿勢が第１収納姿勢又は前記第１収納姿勢を重力方向に沿った上下方向において上下を逆転させた第２収納姿勢のいずれであるかを判定する姿勢判定部と、前記光源装置種類判定部で判定された前記光源装置の種類と、前記姿勢判定部で判定された収納姿勢とに基づいて、前記光源装置の点灯を制御する制御部とを有することを特徴とする。
【００２７】
このように、本発明のプロジェクターは、２種類の光源装置（第１の光源装置又は第２の光源装置）のいずれかを選択的に使用可能としている。そして、本発明のプロジェクターにおいては、収納された光源装置が第１の光源装置であるか第１の光源装置であるかを判定し、第１の光源装置である場合には、当該第１の光源装置の収納姿勢に応じた光源点灯制御を行うようにしている。これにより、第１の光源装置が収納されている場合、当該第１の光源装置がプロジェクターの設置姿勢に適した収納姿勢で収納された場合のみに、当該第１の光源装置を点灯させるといった制御を行うことができる。このような制御を行うことによって、第１の光源装置がプロジェクターの設置姿勢に適さない収納姿勢で光源装置が収納されるのを未然に防止し、それによって、冷却効率の低下を防止することができる。
【００２８】
本発明のプロジェクターにおいては、前記第２の光源装置は、発光部を有する発光管と、前記発光管の中心軸を含む平面に対して対称形状を有し、前記発光部から射出された光を反射させて被照明領域側に射出するリフレクタを有する光源装置であることが好ましい。
【００２９】
第２の光源装置をこのように規定すれば、本発明のプロジェクターは、リフレクタが発光管の中心軸を含む平面に対して対称形状となっている一般的な光源装置の使用も可能となる。
【００３０】
本発明のプロジェクターにおいては、前記第１収納姿勢は、前記副反射鏡が前記発光管よりも前記上下方向における下側となるような姿勢であって、前記第２収納姿勢は、前記副反射鏡が前記発光管よりも前記上下方向における上側となるような姿勢であることが好ましい。
【００３１】
光源装置の姿勢の判定において、このように第１収納姿勢と第２収納姿勢とを規定することにより、光源装置の収納姿勢に応じた適切な点灯制御を行うことができ、それによって、光源装置が適正な収納姿勢で収納されているか否かを知ることができる。
【００３２】
本発明の第２のプロジェクターにおいては、前記光源装置が前記第１の光源装置であると判定され、かつ、前記光源装置が第１収納姿勢であると判定された場合には、前記制御部は、前記光源装置を点灯させる制御を行い、前記光源装置が前記第１の光源装置であると判定され、かつ、前記光源装置が第２収納姿勢であると判定された場合には、前記制御部は、前記光源装置を非点灯とする制御を行い、前記光源装置が前記第２の光源装置であると判定された場合は、前記制御部は、当該第２の光源装置を点灯させる制御を行うことが好ましい。
【００３３】
このように、光源装置が第１の光源装置である場合には、前記本発明の第１のプロジェクターと同様の光源装置点灯処理を行う。すなわち、光源装置が第１の光源装置である場合には、光源装置がプロジェクターの設置姿勢に適した収納姿勢で収納された場合のみに、光源装置を点灯させることができる。これにより、プロジェクターの設置姿勢に適さない収納姿勢で光源装置が収納されるのを未然に防止し、それによって、冷却効率の低下を防止することができる。
一方、光源装置が第２の光源装置である場合には、当該第２の光源装置の収納姿勢に関わらず当該光源装置を点灯させることができるので、プロジェクターを据置姿勢又は天吊姿勢のいずれにおいても使用することができる。
【００３４】
本発明におけるプロジェクターの光源装置収納姿勢監視方法は、発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置を使用可能なプロジェクターの光源装置収納姿勢監視方法であって、前記光源装置の収納姿勢が第１収納姿勢又は前記第１収納姿勢を重力方向に沿った上下方向において上下を逆転させた第２収納姿勢のいずれであるかを判定する姿勢判定ステップと、前記姿勢判定ステップで判定された収納姿勢に基づいて、前記光源装置の点灯を制御する点灯制御ステップを有することを特徴とする。
【００３５】
このようなステップを行うことによって、光源装置がプロジェクターに対して適正な収納姿勢で収納されているか否かを監視することができ、プロジェクターの設置姿勢に適さない収納姿勢で光源装置が収納されるのを未然に防止し、それによって、冷却効率の低下を防止することができる。
【００３６】
本発明におけるプロジェクターの光源装置収納姿勢監視方法においては、発光部を有する発光管と、前記発光管の中心軸を含む平面に対して非対称の形状を有し、前記発光管を部分的に覆うように配置されて、前記発光部から射出される光を前記発光部へ向けて反射させる副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する第１の光源装置又は前記第１の光源装置とは異なる種類の第２の光源装置のいずれかを選択的に使用可能なプロジェクターの光源装置収納姿勢監視方法であって、光源装置の種類が前記第１の光源装置又は前記第２の光源装置のいずれであるかを判定する光源装置種類判定部ステップと、前記光源装置種類判定ステップによって第１の光源装置であると判定された場合、当該第１の光源装置の収納姿勢が第１収納姿勢又は前記第１収納姿勢を重力方向に沿った上下方向において上下を逆転させた第２収納姿勢のいずれであるかを判定する姿勢判定ステップと、前記光源装置種類判定ステップで判定された前記光源装置の種類と、前記姿勢判定ステップで判定された収納姿勢とに基づいて、前記光源装置の点灯を制御するステップとを有することを特徴とする。
【００３７】
このようなステップを行うことによって、光源装置が第１の光源装置である場合に当該光源装置がプロジェクターに対して適正な収納姿勢で収納されているか否かを監視することができ、プロジェクターの設置姿勢に適さない収納姿勢で第１の光源装置が収納されるのを未然に防止し、それによって、冷却効率の低下を防止することができる。
【図面の簡単な説明】
【００３８】
【図１】実施形態１に係るプロジェクターＰＪの外観を概略的に示す斜視図。
【図２】光源装置３００に設けられるランプ４００の構成を示す図。
【図３】実施形態１に係るプロジェクターの光学系の概略構成を模式的に示す平面図。
【図４】実施形態１に係るプロジェクターＰＪに光源装置３００が収納された状態を示す側断面図。
【図５】実施形態１に係るプロジェクターＰＪにおける光源装置収納姿勢監視装置５００の構成を示す図。
【図６】実施形態１に係るプロジェクターＰＪにおける光源装置収納姿勢監視処理を説明するフローチャート。
【図７】第２の光源装置３００Ｂにおけるランプ４００Ｂの構成を概略的に示す図。
【図８】実施形態２に係るプロジェクターＰＪに光源装置が収納された状態を示す側断面図。
【図９】実施形態２に係るプロジェクターＰＪにおける光源装置収納姿勢監視装置５００の構成を示す図。
【図１０】実施形態１に係るプロジェクターＰＪにおける光源装置収納姿勢監視処理を説明するフローチャート。
【図１１】プロジェクターＰＪに天吊金具２００を取り付けた状態を示す外観斜視図。
【図１２】発光管から射出した光の利用効率を高めるようにした光源装置の構成を概略的に示す図。
【発明を実施するための形態】
【００３９】
以下、本発明の実施形態について説明する。
【００４０】
［実施形態１］
図１は、実施形態１に係るプロジェクターＰＪの外観を概略的に示す斜視図である。図１（ａ）はプロジェクターＰＪをテーブルなどに据え置いた状態で使用する場合の据置姿勢を示し、図１（ｂ）は図１（ａ）のプロジェクターＰＪを上下方向において上下を逆転させた状態を示している。
【００４１】
なお、図１においては、実施形態１に係るプロジェクターＰＪを説明する上で必要な構成要素のみが図示されている。したがって、プロジェクターＰＪ内部に収納される光学系や電気回路部品などの構成要素については図示が省略されている。これは、以降の説明で用いる他の図面においても同様である。
【００４２】
実施形態１に係るプロジェクターＰＪの外観構成としては、図１に示すように、プロジェクターＰＪの筐体（以下ではプロジェクター筐体という）１００と、プロジェクター筐体１００の前面１１１に取り付けられた投写レンズ１２０と、プロジェクター筐体１００の背面１１２又は側面１１３（実施形態１に係るプロジェクターＰＪにおいては側面１１３としている）に設けられ、光源装置３００（後述する）が収納される光源装置収納部１３０と、プロジェクター筐体１００の底面１１４に設けられた４個の脚部１４１〜１４４と、プロジェクター筐体１００の例えば上端面１１５に設けられた操作パネル１５０を有している。
【００４３】
操作パネル１５０には、電源スイッチ１５１、各種設定を行う設定部１５２、ユーザーに何らかの状況を報知する報知部１５３などが設けられている。なお、本発明の実施形態に係るプロジェクターＰＪにおいては、報知部１５３は、例えばＬＥＤ（Light Emitting diode）によって構成されており、光源装置３００の収納姿勢が不適正である場合にはＬＥＤが点灯するようになっているものとする。
【００４４】
図２は、光源装置３００に設けられるランプ４００の構成を示す図である。ランプ４００は、光源装置３００（図４参照）内に収納されている。ランプ４００は、図２に示すように、発光部４１１を内包する管球部４１２及び一対の封止部４１３，４１４を有する発光管４１０と、発光管４１０の中心軸４００ｘを含む平面Ｓに対して非対称の形状を有し、発光管４１０を部分的に覆うように配置されて、発光部４１１から射出される光Ｌ２を発光部４１１へ向けて反射する副鏡４３０と、発光管４１０の中心軸４００ｘを含む平面Ｓに対して非対称の形状を有し、副鏡４３０で反射された光Ｌ２と発光部４１１から射出された光のうち副鏡４３０に入射されない光Ｌ１とを反射させて被照明領域側に射出するリフレクタ４２０とを有している。
【００４５】
図２に示すランプ４００においては、リフレクタ４２０は、中心軸４００ｘを含む所定の平面Ｓを境にして一方側（図２における平面Ｓの上側）に配置されており、副鏡４３０は、中心軸４００ｘを含む所定の平面Ｓを境にして他方側（図２における平面Ｓの下側）で、かつ発光管４１０の近傍に配置されている。
【００４６】
なお、リフレクタ４２０は、リフレクタ４２０の下端部が上記平面Ｓに一致する必要はなく、平面Ｓよりも下方向に多少のはみ出し部が存在するような形状であってもよく、また、平面Ｓに対して上方向に多少の不足が生じるような形状であってもよい。副鏡４３０も同様に、副鏡４３０の上端部が上記平面Ｓに一致する必要はなく、平面Ｓよりも上方向に多少のはみ出し部が存在するよう形状であってもよく、また、平面Ｓに対して下方向に多少の不足が生じるような形状であってもよい。
【００４７】
副鏡４３０の反射面４３１は、非球面形状を有し、反射面４３１で反射される光Ｌ２が発光部４１１に向けて反射されるように構成されている。なお、副鏡４３０の材質は、例えば、石英ガラスである。
【００４８】
このように、実施形態１に係るプロジェクターＰＪにおいて用いられる光源装置３００は、リフレクタ４２０及び副鏡４３０が中心軸４００ｘを含む平面Ｓに対して非対称となっており、副鏡４３０は発光管４１０における他方側（リフレクタ４２０の存在しない側）を覆うような形状となっている。このため、前述したように、熱の偏りをなくすためには、副鏡４３０が発光管４１０の下側に位置する収納姿勢で光源装置３００をプロジェクター筐体１００に収納することが重要である。
【００４９】
したがって、光源装置３００の収納姿勢は、副鏡４３０が発光管４１０の下側となるように光源装置収納部１３０に収納された姿勢が適正な収納姿勢（適正姿勢という）であり、この適正収納姿勢を第１収納姿勢とし、また、それとは逆に、副鏡４３０が発光管４１０の上側となるように光源装置収納部１３０に収納された姿勢は不適正な収納姿勢（不適正姿勢という）であり、この不適正姿勢を第２収納姿勢とする。
【００５０】
図３は、実施形態１に係るプロジェクターＰＪの光学系の概略構成を模式的に示す平面図である。実施形態１に係るプロジェクターＰＪの光学系は、図３に示すように、照明装置１０と、照明装置１０からの照明光束を赤色光、緑色光及び青色光の３つの色光に分離して被照明領域に導光する色分離導光光学系２０と、色分離導光光学系２０で分離された３つの色光のそれぞれを画像情報に応じて変調する光変調素子としての３つの液晶装置３０Ｒ，３０Ｇ，３０Ｂと、これら３つの液晶装置３０Ｒ，３０Ｇ，３０Ｂによって変調された色光を合成するクロスダイクロイックプリズム４０と、クロスダイクロイックプリズム４０によって合成された光をスクリーンＳＣＲ等の投写面に投写する投写レンズ１２０とを有している。
【００５１】
照明装置１０は、図３に示すように、被照明領域側に照明光束を射出するランプ（詳細は図２参照）４００と、ランプ４００からの光をほぼ平行光として射出する凹レンズ１１と、第１レンズアレイ１２と、第２レンズアレイ１３と、偏光変換素子１４と、重畳レンズ１５とを有する。
【００５２】
色分離導光光学系２０は、図３に示すように、ダイクロイックミラー２１，２２と、反射ミラー２３，２４，２５と、入射側レンズ２６と、リレーレンズ２７とを有している。色分離導光光学系２０は、照明装置１０から射出される照明光束を赤色光、緑色光及び青色光の３つの色光に分離して、それぞれの色光を照明対象となる液晶装置３０Ｒ，３０Ｇ，３０Ｂに導く機能を有している。
【００５３】
ダイクロイックミラー２１は、赤色光成分を反射し、その他の色光成分を透過するミラーである。また、ダイクロイックミラー２２は、緑色光成分を反射し、青色光成分を透過するミラーである。
【００５４】
ダイクロイックミラー２２で反射された赤色光成分は、反射ミラー２３により曲折され、集光レンズ５０Ｒを介して赤色光用の液晶装置３０Ｒの画像形成領域に入射する。ダイクロイックミラー２１を通過した緑色光成分及び青色光成分のうち緑色光成分は、ダイクロイックミラー２２によって反射され、集光レンズ５０Ｇを通過して緑色光用の液晶装置３０Ｇの画像形成領域に入射する。一方、青色光成分は、ダイクロイックミラー２２を透過し、入射側レンズ２６、反射ミラー２４、リレーレンズ２７、反射ミラー２５及び集光レンズ５０Ｂを通過して青色光用の液晶装置３０Ｂの画像形成領域に入射する。
【００５５】
なお、図示を省略したが、各集光レンズ５０Ｒ，５０Ｇ，５０Ｂと各液晶装置３０Ｒ，３０Ｇ，３０Ｂとの間には、それぞれ入射側偏光板が配置され、各液晶装置３０Ｒ，３０Ｇ，３０Ｂとクロスダイクロイックプリズム４０との間には、それぞれ射出側偏光板が配置されている。これら入射側偏光板、液晶装置３０Ｒ，３０Ｇ，３０Ｂ及び射出側偏光板によって、入射する各色光の光変調が行われる。
【００５６】
クロスダイクロイックプリズム４０は、各液晶装置によって色光ごとに変調された光学像を合成してカラー画像を形成する光学素子であり、クロスダイクロイックプリズム４０から射出されたカラー画像は、投写レンズ１２０によって拡大投写され、スクリーンＳＣＲ上で画像を形成する。
【００５７】
図４は、実施形態１に係るプロジェクターＰＪに光源装置３００が収納された状態を示す側断面図である。なお、図４は図１（ａ）におけるｘ−ｘ線の矢視断面を示す図であるが、光源装置３００は断面としては示されていない。なお、図４においては、光源装置３００内にランプ４００が収納されている様子が示されているが、図４においては、光源装置３００内におけるランプ４００の収納姿勢を示すものであるため、主要な構成要素（発光管４１０、リフレクタ４２０及び副鏡４３０）のみが示されている。
【００５８】
図４に示すプロジェクターＰＪは据置姿勢となっており、当該プロジェクターＰＪは、図４に示すような据置姿勢での使用が想定されているプロジェクターであるとする。このため、光源装置３００は、据置姿勢における適正姿勢すなわち副鏡４３０が発光管４１０の下側となる姿勢で収納されている。
【００５９】
また、光源装置３００は、光源装置収納部１３０に適切に収納された状態となると、光源装置３００側のコネクタ３２０が光源装置収納部１３０側に設けられたコネクタ１３１に接続されるようになっている。光源装置収納部１３０側に設けられたコネクタ１３１は、図示しない電気回路に接続されているので、光源装置３００側のコネクタ３２０が光源装置収納部１３０側に設けられたコネクタ１３１に接続されると、光源装置３００が電気回路に接続された状態となる。
【００６０】
また、図４に示すプロジェクターＰＪには、プロジェクターＰＪの姿勢を検出するための姿勢検出センサー１６０が設けられている。この姿勢検出センサー１６０は、例えば重力センサー（図示せず）が用いられる。
【００６１】
図５は、実施形態１に係るプロジェクターＰＪにおける光源装置収納姿勢監視装置５００の構成を示す図である。光源装置収納姿勢監視装置５００は、プロジェクターＰＪにおける電気回路の構成要素の１つとして設けられている。
【００６２】
光源装置収納姿勢監視装置５００は、図５に示すように、操作パネル１５０（図１参照）におけるユーザーの操作に対応した操作信号を入力する操作信号入力部５１０と、光源装置収納部１３０に収納された光源装置３００が第１収納姿勢であるか第２収納姿勢であるかを判定する姿勢判定部５２０と、姿勢判定部５２０からの姿勢判定結果に基づいて光源装置３００の点灯制御を行う機能及び操作パネル１５０の報知部１５３を制御する機能を有する制御部５３０とを有している。
【００６３】
なお、「光源装置３００の点灯制御」というのは、実際には、光源装置３００内のランプ４００を点灯制御させる制御であるが、この明細書では、「光源装置３０の点灯制御」、「光源装置３００を点灯させる」というように簡略化した表記とする。
【００６４】
また、姿勢判定部５２０は、上記したように、光源装置収納部１３０に収納された光源装置３００の収納姿勢を検出するものであるが、実施形態１に係るプロジェクターにおいては、プロジェクターＰＪに取り付けられた姿勢検出センサー１６０から出力される信号により当該プロジェクターＰＪの設置姿勢（据置姿勢であるか否か）を判定し、その判定結果に基づいて光源装置３００の収納姿勢が第１収納姿勢であるか第２収納姿勢であるかを判定するようにしている。
【００６５】
このように、実施形態１に係るプロジェクターＰＪは、据置姿勢で使用されることを想定したプロジェクターであるので、光源装置３００は、プロジェクターＰＪが据置姿勢で使用されることを想定した姿勢で光源装置収納部１３０に収納されるものとする。
【００６６】
図６は、実施形態１に係るプロジェクターＰＪにおける光源装置収納姿勢監視処理を説明するフローチャートである。操作パネル１５０においてプロジェクターＰＪの電源スイッチ１５１がオンされると（ステップＳ１）、制御部５３０は姿勢判定部５２０を制御し、それによって姿勢判定部５２０は姿勢検出センサー１６０からの信号に基づいてプロジェクターＰＪの姿勢判定処理を行い（ステップＳ２）、当該プロジェクターＰＪの姿勢が据置姿勢であるか否か判定して（ステップＳ３）、その姿勢判定結果を制御部５３０に与える。
【００６７】
制御部５３０は、姿勢判定部５２０からの姿勢判定結果に基づいた制御を行う。具体的には、姿勢判定部５２０によってプロジェクターＰＪの姿勢が据置姿勢であると判定された場合には（ステップＳ３における「Ｙｅｓ」）、制御部５３０は光源装置３００を点灯させるように光源装置３００を制御する（ステップＳ４）。一方、姿勢判定部５２０によってプロジェクターＰＪの姿勢が据置姿勢ではないと判定された場合には（ステップＳ３における「Ｎｏ」）、制御部５３０は光源装置３００を点灯させずに、報知部１５３を作動させるように報知部１５３を制御する（ステップＳ５）。
【００６８】
なお、報知部１５３の作動は、この場合、ＬＥＤの点灯であり、ＬＥＤが点灯することにより、ユーザーは光源装置３００が適正姿勢（第１収納姿勢）ではないこと知ることができる。すなわち、光源装置３００は、プロジェクターＰＪが据置姿勢で使用されることを想定した収納姿勢で光源装置収納部１３０に収納されているため、当該プロジェクターＰＪが仮に天吊姿勢で使用された場合には、光源装置３００の収納姿勢は上下が逆となって、副鏡４３０が発光管４１０の上側となり、光源装置３００は天吊姿勢のプロジェクターＰＪにおいては不適正姿勢（第２収納姿勢）となる。
【００６９】
したがって、据置姿勢での使用が想定されているプロジェクターＰＪの実際の設置姿勢を判定した結果、当該プロジェクターＰＪが据置姿勢でないと判定された場合には、それをユーザーに報知する。これにより、ユーザーはプロジェクターＰＪが想定外の姿勢となっているために、光源装置３００が不適正姿勢（第２収納姿勢）となっていることを知ることができる。また、光源装置３００が不適正姿勢である場合、光源装置３００は点灯されないため、光源装置３００が不適正姿勢であることによる不具合、すなわち、発光管４１０の上側が副鏡４３０に覆われることにより、発光管４１０と副鏡４３０との間に熱が蓄積され易くなり、冷却が不十分となるといった不具合の発生を未然に防止することができる。
【００７０】
以上説明したように、実施形態１に係るプロジェクターＰＪにおいては、当該プロジェクターＰＪが想定した姿勢となっている場合には、光源装置３００を点灯させ、当該プロジェクターＰＪが想定外の姿勢となっている場合には、光源装置３００を点灯させずに報知部１５３によってユーザーに報知を行う。これにより、ユーザーはプロジェクターＰＪが想定外の姿勢となっているために、光源装置３００が不適正姿勢となっていることを知ることができる。また、この場合、光源装置３００は点灯しないため、光源装置３００が不適正姿勢であることによる不具合、すなわち、発光管４１０の上側が副鏡４３０で覆われる状態となると、発光管４１０と副鏡４３０との間に熱が蓄積され易くなり、冷却が不十分となるといった不具合の発生を未然に防止することができる。
【００７１】
［実施形態２］
前述した実施形態１に係るプロジェクターＰＪは、リフレクタ４２０及び副鏡４３０が、中心軸を含む平面Ｓに対して非対称形状（図２参照）となっている光源装置３００を使用するプロジェクターであったが、実施形態２に係るプロジェクターＰＪは、リフレクタ４２０及び副鏡４３０が中心軸を含む平面Ｓに対して対称形状となっている光源装置の使用をも可能なプロジェクターである。
【００７２】
なお、実施形態２に係るプロジェクターＰＪにおいては、実施形態１に係るプロジェクターＰＪにおいて使用した光源装置３００を第１の光源装置３００Ａとし、リフレクタ及び副鏡が中心軸を含む平面Ｓに対して対称形状となっているランプを有する光源装置を第２の光源装置３００Ｂとして説明する。
【００７３】
実施形態２に係るプロジェクターＰＪは、外観的には、図１に示したプロジェクターＰＪと同じ構成とすることが可能であるが、実施形態２に係るプロジェクターＰＪにおいては、第１の光源装置３００Ａ又は第２の光源装置３００Ｂのいずれかを選択的に使用可能とするために、光源装置収納部１３０は、これら第１の光源装置３００Ａ又は第２の光源装置３００Ｂのいずれの光源装置をも収納可能としている。また、実施形態２に係るプロジェクターＰＪの光学系は、図３に示す光学系と同様である。
【００７４】
図７は、第２の光源装置３００Ｂにおけるランプ(ランプ４００Ｂとする)の構成を概略的に示す図である。ランプ４００Ｂは、図７に示すように、発光部４１１を内包する管球部４１２及び一対の封止部４１３，４１４を有する発光管４１０と、発光管４１０の中心軸４００ｘを含む平面Ｓ（図２参照）に対して対称形状を有し、発光部４１１から射出される光Ｌ２を発光部４１１へ向けて反射する副鏡４３０と、発光管４１０の中心軸４００ｘを含む平面Ｓ（図２参照）に対して対称形状を有し、副鏡４３０で反射された光Ｌ２と発光部４１１から射出された光のうち副鏡４３０に入射されない光Ｌ１とを反射させて被照明領域側に射出するリフレクタ４２０とを有している。
【００７５】
なお、図７においては、第２の光源装置３００Ｂとして、副鏡４３０が存在する光源装置を例示したが、リフレクタが対称形状の光源装置の場合には、副鏡が存在しないものも従来から用いられている。したがって、実施形態２に係るプロジェクターＰＪにおいては、第２の光源装置３００Ｂとしては、図７に示すような副鏡を有する光源装置だけでなく、副鏡が存在しない光源装置も使用可能である。
【００７６】
図８は、実施形態２に係るプロジェクターＰＪに光源装置が収納された状態を示す図である。なお、図８において図４と同一部分には同一符号が付されている。ただし、図４における光源装置３００は、図８においては、第１の光源装置３００Ａとして示されている。
【００７７】
図８（ａ）は第１の光源装置３００Ａが収納された状態を示す図であり、図８（ｂ）は第２の光源装置３００Ｂが収納された状態を示す図である。図８（ａ）に示すように、第１の光源装置３００Ａが光源装置収納部１３０に適切に収納された状態となると、第１の光源装置３００Ａのコネクタ３２０（コネクタ３２０Ａとする）が光源装置収納部１３０側に設けられたコネクタ１３１に接続される。光源装置収納部１３０側に設けられたコネクタ１３１は図示しない電気回路に接続されているので、第１の光源装置３００Ａのコネクタ３２０Ａが光源装置収納部１３０側に設けられたコネクタ１３１に接続されると、第１の光源装置３００Ａが電気回路に接続された状態となる。
【００７８】
また、図８(ｂ)においても同様に、第２の光源装置３００Ｂが光源装置収納部１３０に適切に収納された状態となると、第２の光源装置３００Ｂのコネクタ３２０Ｂが光源装置収納部１３０側に設けられたコネクタ１３１に接続され、第２の光源装置３００Ｂが電気回路に接続された状態となる。
【００７９】
また、実施形態２に係るプロジェクターＰＪにおける第１の光源装置３００Ａは、図８（ａ）に示すように、当該光源装置の種類を示す情報が記憶されている光源装置種類記憶部３３０Ａを有し、第２の光源装置３００Ｂも、図８（ｂ）に示すように、当該光源装置の種類を示す情報が記憶されている光源装置種類記憶部３３０Ｂを有している。これら第１の光源装置３００Ａ及び第２の光源装置３００Ｂが有する光源装置種類記憶部３３０Ａ，３３０Ｂは、それぞれＩＣチップなどで構成されおり、当該光源装置が第１の光源装置３００Ａであるか、第２の光源装置３００Ｂであるかを示す情報が記憶されている。
【００８０】
図９は、実施形態２に係るプロジェクターＰＪにおける光源装置収納姿勢監視装置５００の構成を示す図である。この光源装置収納姿勢監視装置５００は、図５に示した実施形態１に係るプロジェクターＰＪの光源装置収納姿勢監視装置５００の各構成要素に加えて、光源装置の種類を判定する光源装置種類判定部５４０を有している。
【００８１】
光源装置種類判定部５４０は、第１の光源装置３００Ａに設けられている光源装置種類記憶部３３０Ａ及び第２の光源装置３００Ｂに設けられている光源装置種類記憶部３３０Ｂの記憶内容に基づいて当該光源装置の種類が第１の光源装置３００Ａであるか第２の光源装置３００Ｂであるかを判定し、その判定結果を制御部５３０に送る。
【００８２】
なお、光源装置種類判定部５４０と各光源装置種類記憶部３３０Ａ，３３０Ｂとの間の信号の授受は、図９では図示されていないが、光源装置収納部１３０側のコネクタ１３１と、第１の光源装置３００Ａに設けられているコネクタ３２０Ａ又は第２の光源装置３００Ｂに設けられているコネクタ３２０Ｂとを介して行われるようになっているものとする。
【００８３】
図１０は、実施形態２に係るプロジェクターＰＪの光源装置収納姿勢監視処理を説明するフローチャートである。操作パネル１５０においてプロジェクターＰＪの電源スイッチ１５１がオンされると（ステップＳ１１）、制御部５３０は光源装置種類判定部５４０を制御し、それによって、光源装置種類判定部５４０は、プロジェクターＰＪに収納されている光源装置（第１の光源装置３００Ａ又は第２の光源装置３００Ｂ）に設けられている光源装置種類記憶部（光源装置種類記憶部３３０Ａ又は光源装置種類記憶部３３０Ｂ）から当該光源装置の種類を取得して、光源装置の種類を判別する処理を行い（ステップＳ１２）、当該光源装置が第１の光源装置３００Ａであるか否かを判定して（ステップＳ１３）、その判定結果を制御部５３０に与える。制御部５３０は、光源装置種類判定部５４０からの光源種類判定結果に基づいた制御を行う。
【００８４】
具体的には、光源装置種類判定部５４０によって、当該光源装が第１の光源装置３００Ａではないと判定された場合には（ステップＳ１３における「Ｎｏ」）、制御部５３０は、当該光源装置は第２の光源装置３００Ｂであるとして、当該光源装置３００を点灯させるための制御を行う（ステップＳ１６）。一方、光源装置種類判定部５４０によって、当該光源装置３００が第１の光源装置３００Ａであると判定された場合には（ステップＳ１３における「Ｙｅｓ」）、ステップＳ１４以降に処理が進む。ステップＳ１４〜Ｓ１７の各処理は、図６におけるステップＳ２〜Ｓ５の各処理と同じ処理である。
【００８５】
すなわち、当該光源装置３００が第１の光源装置３００Ａであると判定された場合には（ステップＳ１３における「Ｙｅｓ」）、制御部５３０は姿勢判定部５２０を制御し、それによって姿勢判定部５２０は姿勢検出センサー１６０からの信号に基づいてプロジェクターＰＪの姿勢判定処理を行い（ステップＳ１４）、当該プロジェクターＰＪの姿勢が据置姿勢であるか否か判定して（ステップＳ１５）、その姿勢判定結果を制御部５３０に与える。
【００８６】
制御部５３０は、姿勢判定部５２０からの姿勢判定結果に基づいた制御を行う。具体的には、姿勢判定部５２０によってプロジェクターＰＪの姿勢が据置姿勢であると判定された場合には（ステップＳ１５における「Ｙｅｓ」）、制御部５３０は光源装置（第１の光源装置３００Ａ）を点灯させるための制御を行う（ステップＳ１６）。一方、姿勢判定部５２０によってプロジェクターＰＪの姿勢が据置姿勢ではないと判定された場合には（ステップＳ１５における「Ｎｏ」）、制御部５３０は第１の光源装置３００Ａを点灯させずに、報知部１５３を作動させるように報知部１５３の制御を行う（ステップＳ１７）。
【００８７】
以上説明したように、実施形態２に係るプロジェクターにおいては、プロジェクターＰＪに収納された光源装置が、第１の光源装置３００Ａであるか第２の光源装置３００Ｂであるかを判定し、判定結果に応じた光源点灯制御を行うようにしている。すなわち、光源装置が図７に示すような第２の光源装置３００Ｂである場合には、当該第２の光源装置３００Ｂの収納姿勢に関わらず当該光源装置を点灯させる。
【００８８】
これは、第２の光源装置３００Ｂは、当該第２の光源装置３００ＢをプロジェクターＰＪに収納した場合（図８（ｂ）参照）、プロジェクターＰＪを据置姿勢で使用した場合であっても、また天吊姿勢（図１１参照）で使用した場合であっても、第２の光源装置３００Ｂの副鏡４３０と発光管４１０の位置関係は変化せず、非対称型のリフレクタ及び副鏡を有する光源装置の場合に生じる不具合、すなわち、発光管４１０の上側が副鏡４３０に覆われる状態となると、発光管４１０と副鏡４３０との間に熱が蓄積され易くなり、冷却が不十分となるといった不具合を引き起こす要因とはならないからである。
【００８９】
一方、光源装置が第１の光源装置３００Ａである場合には、前述の実施形態１に係るプロジェクターＰＪと同様の光源点灯制御を行う。
【００９０】
なお、実施形態２に係るプロジェクターにおいても、据置姿勢での使用が想定されているプロジェクターについて説明したが、実施形態２に係るプロジェクターＰＪの場合、第２の光源装置３００Ｂを使用した場合には、プロジェクターＰＪを図１１に示すような天吊姿勢で使用することも可能である。
【００９１】
図１１は、プロジェクターＰＪを天吊姿勢とした場合を示す図である。図１１に示す天吊姿勢は、図１に示す据置姿勢のプロジェクターＰＪを上下方向において逆転させた姿勢であり、プロジェクター筐体１００の底面１１４が上方向を向いている。図１１に示すような天吊姿勢で使用する場合には、プロジェクターＰＪの底面に天吊金具２００を取り付けて、この天吊金具２００を天井などにネジなどによって固定する。なお、図１１に示す天吊金具２００の構成は一例であって、図１１に示すような構成に限られるものではない。
【００９２】
なお、本発明は前述の各実施形態に限られるものではなく、本発明の要旨を逸脱しない範囲で種々変形実施可能となるものである。例えば、下記（１）〜（７）に示すような変形実施も可能である。
【００９３】
（１）実施形態１及び実施形態２においては、姿勢検出センサー１６０は、プロジェクター筐体１００に設けた場合を例示したが、光源装置３００（第１の光源装置３００Ａ及び第２の光源装置３００Ｂ）に設けるようにしてもよい。この場合、姿勢検出センサー１６０からの信号は、光源装置３００のコネクタ（第１の光源装置３００Ａのコネクタ３２０Ａ又は第２の光源装置３００Ｂのコネクタ３２０Ｂ）から光源装置収納部１３０側のコネクタ１３１を介してプロジェクターＰＪの電気回路に設けられる光源装置収納姿勢監視装置５００の姿勢判定部５２０に送信されるようにする。
【００９４】
（２）実施形態１及び実施形態２においては、プロジェクターＰＪの姿勢を判定するための姿勢検出センサー１６０としては重力センサーを用いた場合を例示したが、重力センサーに限られるものではなく、例えば、圧力センサーであってもよい。姿勢検出センサー１６０として圧力センサーを用いる場合には、圧力センサーを例えばプロジェクターＰＪの脚部１４１〜１４４のうちのいずれかの脚部の先端（テーブルなどに設置する際の設置側先端）に取り付けるようにすれば、プロジェクターをテーブルなどに据置姿勢で設置した場合、圧力センサーからの出力を得ることができ、それによって、プロジェクターＰＪの姿勢が据置姿勢であることを検出することができる。
【００９５】
（３）実施形態１及び実施形態２においては、報知部１５３としてＬＥＤを用いた場合を例示したが、ＬＥＤに限られるものではなく他の発光手段であってもよく、また、音声によって報知するものであってもよい。
【００９６】
（４）実施形態２においては、第１の光源装置３００Ａ及び第２の光源装置３００Ｂのそれぞれにおいて、光源装置種類記憶部３３０Ａ及び光源装置種類記憶部３３０Ｂを有し、これら光源装置種類記憶部３３０Ａ，３３０Ｂにそれぞれ対応する光源装置の種類を示す情報を記憶させておき、これら光源装置種類記憶部３３０Ａ，３３０Ｂに記憶されている情報から当該光源装置の種類を判定する場合を例示したが、いずれか一方の種類の光源装置のみに光源装置種類記憶部を設けるようにしてもよい。
【００９７】
例えば、第１の光源装置３００Ａのみに光源装置種類記憶部３３０Ａを設けるようにする。そして、光源装置種類判定部５４０が光源装置種類記憶部３３０Ａから光源装置種類情報を取得した場合には、当該光源装置は第１の光源装置３００Ａであると判定し、判別情報が取得できなかった場合には当該光源装置は第２の光源装置３００Ｂであると判定する。このようにしても、光源装置が第１の光源装置３００Ａであるか第２の光源装置３００Ｂであるかを判定することができる。
【００９８】
（５）実施形態２においては、光源装置の種類を示す情報を光源装置種類記憶部３３０Ａ，３３０Ｂに記憶させておき、これら光源装置種類記憶部３３０Ａ，３３０Ｂの内容から光源装置の種類を判別するようにした場合を例示したが、これに限られるものではなく、機械的手段によって光源装置の種類を判別するようにしてもよい。例えば、第１の光源装置３００Ａには光源装置の筐体部に突起を設け、当該第１の光源装置３００Ａが光源装置収納部１３０に収納されると、突起がプロジェクター内に設けられたセンサーを押圧することによって、当該センサーから信号を出力させ、その信号により、第１の光源装置３００Ａが収納されたことを検出するというような構成とすることも可能である。
【００９９】
（６）実施形態１及び実施形態２においては、光源装置の点灯制御は、点灯又は非点灯であったが、これに限られるものではなく、光源装置の輝度を変化させるような制御であってもよい。たとえば、当該プロジェクターＰＪが想定した姿勢となっている場合には、光源装置を高輝度で点灯させ、当該プロジェクターが想定外の姿勢となっている場合には、光源装置を低輝度で点灯させるというような制御としてもよい。
【０１００】
（７）実施形態１及び実施形態２においては、プロジェクターＰＪの光変調素子として液晶パネルを用いた場合が例示されているが、これに限られるものではなく、マイクロミラー型の光変調素子であってもよい。
【符号の説明】
【０１０１】
１００・・・プロジェクター筐体、１１４・・・底面、１２０・・・投写レンズ、１３０・・・光源装置収納部、１５０・・・操作パネル、１５３・・・報知部、１６０・・・姿勢検出センサ、２００・・・天吊金具、３００・・・光源装置、３００Ａ・・・第１の光源装置、３００Ｂ・・・第２の光源装置、４１０・・・発光管、４２０・・・リフレクタ（主反射鏡）、４３０・・・副鏡（副反射鏡）、５００・・・光源装置収納姿勢監視装置、５１０・・・操作信号入力部、５２０・・・姿勢判定部、５３０・・・制御部、５４０・・・光源装置種類判定部、ＰＪ・・・プロジェクター
【図１】
2011017826.tif 000003
【図２】
2011017826.tif 000004
【図３】
2011017826.tif 000005
【図４】
2011017826.tif 000006
【図５】
2011017826.tif 000007
【図６】
2011017826.tif 000008
【図７】
2011017826.tif 000009
【図８】
2011017826.tif 000010
【図９】
2011017826.tif 000011
【図１０】
2011017826.tif 000012
【図１１】
2011017826.tif 000013
【図１２】
2011017826.tif 000014